(57)【要約】【課題】  外柵が設けられた状況下で納骨堂を湿度の少ない環境に確実に維持できる墓を提供すること。<BR>【解決手段】  地上に設置された納骨堂１０と、当該納骨堂１０を取り囲むように地上に設置され前後側壁（４３，４４）および左右側壁（４１，４２）を有する外柵４０とを備え、当該納骨堂１０に通風用の換気口（２１，２２，２４，２５）を所定個数設けるとともに、外柵４０の前後左右の各側壁（４３，４４，４１，４２）に換気口（５３，５４，５１，５２）を設ける。各換気口（５１等）に、当該換気口（５１等）を通風可能に覆う網目状部材（６１等）を設ける。外柵４０側の各網目状部材（６１等）に水抜き機能を持たせる。外柵４０側の各網目状部材（６１等）を着脱自在とする。納骨堂１０側の各網目状部材（３１等）を着脱自在とする。<BR>【選択図】        図１<BR>
2005139864.tif 000002
【特許請求の範囲】
【請求項１】
地上に設置された納骨堂と、当該納骨堂を取り囲むように地上に設置され前後側壁および左右側壁を有する外柵とを備え、
前記納骨堂に通風用の換気口を所定個数設けるとともに、前記外柵の前後側壁および左右側壁に換気口を設けたことを特徴とする墓。
【請求項２】
前記各換気口に、当該換気口を通風可能に覆う網目状部材を設けた請求項１記載の墓。
【請求項３】
前記外柵側の各網目状部材に水抜き機能を持たせた請求項２記載の墓。
【請求項４】
前記外柵側の各網目状部材を、対応する前記外柵の各換気口に着脱自在に装着した請求項２又は３記載の墓。
【請求項５】
前記納骨堂側の各網目状部材を、対応する前記納骨堂の各換気口に着脱自在に装着した請求項２，３又は４記載の墓。
【発明の詳細な説明】
【技術分野】
【０００１】
本発明は、地上に設置された納骨堂と外柵とを備えた墓に関する。<BR>
【背景技術】
【０００２】
従来、骨壺を収める納骨堂（納骨室ともいう）は地下に設けられるのが一般的である（例えば、特許文献１，２，３参照）。通常、納骨堂は、左右側壁および前後側壁を有するとともに上部開口部が墓標の下石と当該下石の前方の蓋石によって覆われている。下石や当該下石に支持された墓標そして蓋石は、地上に配設されている。
【０００３】
ところで、納骨堂が地下にある墓では、納骨堂に雨水が浸入して溜まりやすい。そのため、納骨堂内がいつもじめじめして、カビが発生したり、虫が発生してしまう原因となる。特に、骨壺の中にも水が浸入して溜まりカビ等が繁殖するような事態が起こると、遺族等にとっては死者の魂が汚されたようにも感じられ、心情的に遣り切れない思いになる。
【０００４】
そこで、最近、納骨堂の設置場所を雨水が浸入しやすい地下から地上とした墓が提案されている（例えば、特許文献４参照）。
【０００５】
ここで、上記した特許文献４に記載された墓を、外柵付きの墓とする場合には、外柵は納骨堂を取り囲むように設置されることになる。すなわち、外柵の前後左右の各側壁が納骨堂の外側面と所定距離隔てて設置されることになる。なお、外柵と納骨堂との間の空間に、土や砂利などを埋めると、土圧によって外柵が倒れて破損するおそれが生じるので、空きスペースのままとするのが望ましい。
【特許文献１】特許第２９１７００６号
【特許文献２】特開平１０−１８６４９号公報
【特許文献３】特開平１０−１８６４９号公報
【特許文献４】特開２００２−１０６２０９号公報
【発明の開示】
【発明が解決しようとする課題】
【０００６】
ところで、上記した特許文献４に記載された墓では、外柵を設けない場合には納骨堂が湿度の少ない環境に維持されるものの、外柵を設けた場合には当該外柵が障害物となって納骨堂内への通風が不十分となり高湿度環境となりやすい。
【０００７】
本発明の目的は、外柵が設けられた状況下で納骨堂を湿度の少ない環境に確実に維持できる墓を提供することにある。
【課題を解決するための手段】
【０００８】
上記目的を達成するために、請求項１の発明は、地上に設置された納骨堂と、当該納骨堂を取り囲むように地上に設置され前後側壁および左右側壁を有する外柵とを備え、前記納骨堂に通風用の換気口を所定個数設けるとともに、前記外柵の前後側壁および左右側壁に換気口を設けたことを特徴とする墓である。
【０００９】
上記請求項１の発明の場合、前後左右いずれの方向から風が吹いても、外柵と納骨堂とに設けられた各換気口を介して納骨堂内を風が吹き抜ける。そのため、納骨堂内を湿度の少ない環境に維持できる。
【００１０】
請求項２の発明は、前記各換気口に、当該換気口を通風可能に覆う網目状部材を設けた墓である。
【００１１】
上記請求項２の発明の場合、網目状部材によって小動物（昆虫，蛇，カエル等）やゴミなどが、外柵と納骨堂との間の空間や納骨堂内に入るのが阻止される。なお、網目状部材は、通風の妨げにはならないので、納骨堂内を湿度の少ない環境に維持できる。
【００１２】
請求項３の発明は、前記外柵側の各網目状部材に水抜き機能を持たせた墓である。
【００１３】
上記請求項３の発明の場合、上記各網目状部材は水抜き機能（排水機能）をも有しているので、納骨堂と外柵との間の空間に雨水が溜まることはない。そのため、納骨堂内への水の浸入を一段と確実に防止できる。
【００１４】
請求項４の発明は、前記外柵側の各網目状部材を、対応する前記外柵の各換気口に着脱自在に装着した墓である。
【００１５】
上記請求項４の発明の場合、網目状部材が破損等しても簡単に修理したり交換することができる。
【００１６】
請求項５の墓は、前記納骨堂側の各網目状部材を、対応する前記納骨堂の各換気口に着脱自在に装着した墓である。
【００１７】
上記請求項５の発明の場合、網目状部材が破損等しても簡単に修理したり交換することができる。
【発明の効果】
【００１８】
請求項１の発明によれば、納骨堂と外柵のいずれにも換気口を設けたので、納骨堂内を湿度の少ない環境に確実に維持できる。
【００１９】
請求項２の発明によれば、前記各換気口に網目状部材を設けたので、請求項１の発明と同様な効果を奏し得る他、小動物（昆虫，蛇，カエル等）やゴミなどが、外柵と納骨堂との間の空間や納骨堂内に入るのを阻止できる。
【００２０】
請求項３の発明によれば、外柵側の各網目状部材に水抜き機能を持たせたので、請求項２の発明と同様な効果を奏し得る他、納骨堂と外柵との間の空間に雨水が溜まることはない。そのため、納骨堂内への水の浸入を一段と確実に防止できる。
【００２１】
請求項４の発明によれば、前記外柵側の各網目状部材を着脱自在としたので、請求項２又は３の発明と同様な効果を奏し得る他、網目状部材が破損等しても簡単に修理したり交換することができる。
【００２２】
請求項５の墓によれば、前記納骨堂側の各網目状部材を着脱自在としたので、請求項２，３又は４の発明と同様な効果を奏し得る他、網目状部材が破損等しても簡単に修理や交換ができる。
【発明を実施するための最良の形態】
【００２３】
本発明の最良の実施形態を図面を参照しながら説明する。
【００２４】
本発明に係る墓１は、図１〜図４に示すように、地上に設置された納骨堂１０と、当該納骨堂１０を取り囲むように地上に設置され前後側壁（４３，４４）および左右側壁（４１，４２）を有する外柵４０とを備えており、当該納骨堂１０に通風用の換気口（２１，２２，２４，２５）を所定個数設けるとともに、外柵４０の前後左右の各側壁（４３，４４，４１，４２）に換気口（５３，５４，５１，５２）を設けた構成とされている。
【００２５】
なお、図１〜図４では、納骨堂１０の上部開口部１５を覆う下台等は、本発明の特徴部を明瞭に図示するために図示を省略してある。
【００２６】
以下、墓１の各構成要素について詳述する。
【００２７】
納骨堂１０は、左右側壁（１１，１２）、前側壁（開閉扉１３）および後側壁１４を有しており、その上部開口部１５の大部分は下台（図示省略）によって覆われるとともに、一部分は蓋石６によって覆われている。左右側壁（１１，１２）および後側壁１４の下部には、図９に示すように、四角形状の穴が貫通穿設されており、当該穴をもって換気口が（２１，２２，２４）が形成されている。ここで、各換気口（２１，２２，２４）を各側壁（１１，１２，１４）の下部に形成することにより、特に湿気を取りたい納骨堂１０内の底部に風が効果的に供給されることになり、一段と確実に納骨堂１０内を低湿度環境に維持できる。なお、図１に示すように、蓋石６にも丸穴が貫通穿設されており、当該穴をもって換気口２５が形成されている。
【００２８】
この実施形態では、納骨堂１０側の各換気口（２１，２２，２４）には、当該換気口（２１，２２，２４）を通風可能に覆う網目状部材３１が設けられている。具体的には、網目状部材３１は、図９および図１０に示すように、網部３２と、この網部３２を上記各換気口（２１，２２，２４）に取り付けるための取付部材（３５）とから形成されている。
【００２９】
具体的には、網部３２は、ステンレス鋼等の金属製の枠３３と、この枠３３に保持された網３４とから形成されている。網３４は、通風に支障をきたさず、かつ、小動物（昆虫，蛇，カエル等）やゴミなどの通過を阻止できるように形成されている。
【００３０】
また、取付部材は、石製の水止め扉石３５から形成されている。この水止め扉石３５には、上方に向けて凹むように形成された凹み部３６と、この凹み部３６に対応して形成され網部３２を抜き差し可能に保持する網保持部３７とが形成されている。網部３２は、図１０に示すように、水止め扉石３５の網保持部３７にセットされ、図９に示すように、当該水止め扉石３５ごと上記各側壁（１１，１２，１４）の換気口（２１，２２，２４）に装着される。ここで、水止め扉石３５は重量があるので、換気口（２１，２２，２４）にセットすれば不用意に動いてしまうようなことはなく、長期にわたって確実に虫・ゴミ防御機能を発揮する。なお、蓋石６に形成された換気口２５にも、円形状の網部を有する網目状部材３１Ａが着脱自在に装着されている。
【００３１】
次に、外柵４０の前後側壁（４３，４４）および左右側壁（４１，４２）の下部には、図５および図７に示すように、四角形状の穴が貫通穿設されており、当該穴をもって換気口（５１，５２，５３，５４）が形成されている。ここで、各換気口（５１，５２，５３，５４）を各側壁（４１，４２，４３，４４）の下部に形成することにより、湿気が篭りやすい外柵４０の内空間の低部にも効果的に風が供給されることになり、一段と確実に当該空間低部や納骨堂１０内を低湿度環境に維持できる。
【００３２】
この実施形態では、外柵４０の各側壁（４１，４２，４３，４４）の換気口（５１，５２，５３，５４）には、当該換気口（５１，５２，５３，５４）を通風可能に覆う網目状部材（６１，６１Ｑ）が設けられている。各網目状部材（６１，６１Ｑ）は、虫・ゴミ防御機能の他に水抜き機能（排水機能）をも有している。ここで、網目状部材６１は換気口（５１，５２，５４）に設けられ、網目状部材６１Ｑは換気口５３に設けられるが、同様構成であるので、以下に網目状部材６１のみを詳述する。なお、網目状部材６１Ｑを示す図７および図８で、図５および図６で使用した符号と同一の符号を付した構成要素は、網目状部材６１の対応する構成要素と同一の機能を果たすものである。
【００３３】
具体的には、網目状部材６１は、図５および図６に示すように、上側網部６２Ａと、下側網部６２Ｂと、両網部（６２Ａ，６２Ｂ）を上記各換気口（５１，５２，５４）に取り付けるための取付部材（６５）とから形成されている。
【００３４】
両網部（６２Ａ，６２Ｂ）は、図６（Ａ），（Ｂ）に示すように、ステンレス鋼等の金属製の枠（６３ａ，６３ｂ）と、この枠（６３ａ，６３ｂ）に保持された網（６４ａ，６４ｂ）とから形成されている。網（６４ａ，６４ｂ）は、通風に支障をきたさず、かつ、小動物（昆虫，蛇，カエル等）やゴミなどの通過を阻止できるように形成されている。
【００３５】
また、取付部材は、石製の扉石６５から形成されている。扉石６５は、箱型形状の本体６６と、この本体６６の前面に設けられた鍔部６７とを有している。鍔部６７の上方部分には四角形状の上部貫通穴６９ａが貫通穿設されているとともに、当該鍔部６７の下方部分には四角形状の凹み部６９ｂが下側に凹むように形成されている。本体６６には、上部貫通穴６９ａに対応して上部網保持部７６が形成されているとともに、凹み部６９ｂに対応して下部網保持部７７が形成されている。
【００３６】
上記した上側網部６２Ａは、図６（Ａ），（Ｂ）に示すように、扉石６５の上部網保持部７６にセットされる。一方、下側網部６２Ｂは、扉石６５の下部網保持部７７にセットされる。こうして扉石６５にセットされた両網部（６２Ａ，６２Ｂ）は、当該扉石６５ごと外柵４０の各側壁（４１，４２，４４）の換気口（５１，５２，５４）に外側から装着される。ここで、扉石６５は重量があるので、換気口（５１等）にセットすれば不用意に動いてしまうようなことはなく、長期にわたって確実に虫・ゴミ防御機能および水抜き機能（排水機能）を発揮する。
【００３７】
なお、図１に示すように、墓１の拝石９には平行線状の溝９ａが多数形成されており、雨水の排水を円滑に行えるようにしている。これにより、雨の日でも人が足を滑らせる事故が起きるのが激減し、安心して墓参りすることができる。図２（Ａ）中、８は沓石、７は沓石７に支持され、外柵４０と納骨堂１０との間の空間を上から覆う石板である。
【００３８】
上記構成の墓１によれば、前後左右いずれの方向から風が吹いても、外柵４０と納骨堂１０とに設けられた各換気口（２１等，５１等）を介して納骨堂１０内を風が吹き抜ける。そのため、納骨堂１０内を湿度の少ない環境に維持できる。
【００３９】
また、各換気口（２１等，５１等）に網目状部材（３１，３１Ａ，６１，６１Ｑ）を設けたので、当該網目状部材（３１等）によって小動物（昆虫，蛇，カエル等）やゴミなどが、外柵４０と納骨堂１０との間の空間や納骨堂１０内に入るのが阻止される。なお、網目状部材（３１等）は、通風の妨げにはならないので、納骨堂１０内を湿度の少ない環境に維持できる。
【００４０】
また、外柵４０側の各網目状部材（６１，６１Ｑ）に水抜き機能を持たせたので、納骨堂１０と外柵４０との間の空間に雨水が溜まることはない。そのため、納骨堂１０内への水の浸入を一段と確実に防止できる。
【００４１】
また、外柵４０側の網目状部材（６１，６１Ｑ）を着脱自在としたので、当該網目状部材（６１，６１Ｑ）が破損等しても簡単に修理したり交換することができる。
【００４２】
また、納骨堂１０側の網目状部材（３１，３１Ａ）を着脱自在としたので、当該網目状部材（３１，３１Ａ）が破損等しても簡単に修理したり交換することができる。
【図面の簡単な説明】
【００４３】
【図１】本発明の要部を示す一部を省略した平面図である。
【図２】本発明の要部を説明するための正面図である。
【図３】本発明の要部を説明するための側面図である。
【図４】本発明に係る墓の背部を示す背面図である。
【図５】外柵の左右側壁の換気口への網目状部材の取付けを説明するための斜視図である。
【図６】図５に示す網目状部材の形状を説明するための図である。
【図７】外柵の前側の側壁の換気口への網目状部材の取付けを説明するための斜視図である。
【図８】図７に示す網目状部材の形状を説明するための図である。
【図９】納骨堂の各側壁の換気口への網目状部材の取付けを説明するための斜視図である。
【図１０】図９に示す網目状部材の形状を説明するための図である。
【符号の説明】
【００４４】
１  墓<BR>
９  拝石
９ａ  溝
１０  納骨堂
１１  左側壁
１２  右側壁
１３  開閉扉
１４  後側壁
２１，２２，２４，２５  換気口
３１，３１Ａ  網目状部材
３２  網部
３３  枠
３４  網
３５  水止め扉石（取付部材）
３６  凹み部
３７  網保持部
４０  外柵
４１  左側壁
４２  右側壁
４３  前側壁
４４  後側壁
５１，５２，５３，５４  換気口
６１，６１Ｑ  網目状部材
６２Ａ  上側網部
６２Ｂ  下側網部
６３ａ，６２ｂ  枠
６４ａ，６４ｂ  網
６５  扉石
６６  本体
６７  鍔部
６９ａ  上部貫通穴
６９ｂ  凹み部
７６  上部網保持部
７７  下部網保持部
【図１】
2005139864.tif 000003
【図２】
2005139864.tif 000004
【図３】
2005139864.tif 000005
【図４】
2005139864.tif 000006
【図５】
2005139864.tif 000007
【図６】
2005139864.tif 000008
【図７】
2005139864.tif 000009
【図８】
2005139864.tif 000010
【図９】
2005139864.tif 000011
【図１０】
2005139864.tif 000012